(57)【要約】      （修正有）【課題】箸を使うときに、相対する箸に対する軸回転を無くす技術と、物を挟むときに、箸の棒形状の挟持部を、物を滑り落ち難く、挟み取り易くする技術を組み合せて、箸を相乗的に使い易くする。【解決手段】ロッド５の一方の端部を、箸４を含む面内方向に回動自在に連結してある２本の箸の先端を、同じ方向に向けて、２本の箸４の間で、ロッド５の他方の端部同士を、２本の箸４を含む面内方向に回動自在に連結することによって、箸使い時に相対する箸４に対する箸の軸回転を無くして、箸４の挟持部の噛み合わせを良くする技術と、紡錘形などの形状で略平面を有する挟持部を設けて、挟持部の箸４と挟む物との接触面積を広げて、挟む物との摩擦抵抗を増して、挟む物を滑り落ち難くして、物を挟み取り易くする技術を組み合せることによって、箸４を相乗的に使い易くする。【選択図】図６
2014176608.tif 000002
【特許請求の範囲】
【請求項１】
箸使い時に箸に掛ける指が当らない高さの前記箸の上部の位置にロッドの一方の端部を前記箸を含む面内方向に回動自在に連結してある前記箸が２本あり、前記箸の先端を同じ方向に向けた２本の前記箸の間で前記ロッドの他方の端部同士を２本の前記箸を含む面内方向に回動自在に連結してあり、前記箸で物を挟み及び放すときに２本の前記箸は相対する前記箸に対して軸回転することなく前記箸の先端が閉じ及び開くことを特徴とする箸。
【請求項２】
２本の前記箸のそれぞれの先端部は平のみ形または紡錘形などの形状であり、なおかつ前記先端部は物を挟むための略平面の面を有することを特徴とする請求項１に記載の箸。
【発明の詳細な説明】
【技術分野】
【０００１】
箸が挟み難い粒状の物及び滑り易い物などを箸で物を挟む方法（以下、箸使いと言う）で挟み取り易くする食事用具に関する技術。
【背景技術】
【０００２】
箸を箸使いして物を挟むときに相対する箸に対して棒形状である箸の中心軸で回転すること（以下、軸回転と言う）によって箸先の噛み合わせがずれて物を挟めないとか物が滑り落ちることがあるために、使い易い箸には箸の軸回転を無くすことが望まれることに関して、先行技術の箸の例の中にあるヒンジまたは付勢部品が箸の軸回転を抑えているが、２本のそれぞれの箸が連結しており箸の開閉の支点が一定であり、箸使いが難しく、ヒンジまたは付勢部品の開きの限界があり、開き限界より大きいものが挟めないなどのために物を挟むときの様々な状況に対して柔軟な対応ができないなどの短所があり、箸の軸回転を無くすことが箸を使い易くすることに生かされてない。
【０００３】
箸の先端に紡錘形などの形状で略平面を有する挟持部を付加して、箸と挟む物との接触面積を広げて、挟む物との摩擦抵抗を増すことで挟む物を滑り落ち難くして、物を挟み取り易くすることに関して、先行技術の箸の中に箸の端部にフォーク形状の挟持部を有する箸の例があるが、物を挟むときの箸の軸回転を無くしてなく、箸を箸使いするときにフォーク形状の挟持部が向かい合わせ状態に保持されないために、フォーク形状の挟持部で物を上手く挟むことができない。
【０００４】
先行技術の中にヒンジとか付勢部品などのような部品を付加してある例があるが、箸使いのし易さに関しては余り効果的でなく製作コストを上げており、箸としての外観がスマートでない。
【先行技術文献】
【特許文献】
【０００５】
【特許文献１】特開2011-194037号公報
【特許文献２】特開2012-016429号公報
【特許文献３】特開2012-040331号公報
【発明の概要】
【発明が解決しようとする課題】
【０００６】
箸で物を挟むときの箸の軸回転を無くす技術を付加することで箸先の噛み合わせを良くして、物を挟めないとか物が滑り落ちることをなくして、箸を箸使いして物を挟み取り易くする。
【０００７】
箸の先端の挟持部の挟む物との接触面積を広げて、挟む物との摩擦抵抗を増すことによって挟む物を滑り落ち難くすることと、箸の軸回転を無くして挟持部の向かい合わせ状態を保持する技術を組み合せることによって箸を相乗的に使い易くする。
【０００８】
ヒンジとか付勢部品などで箸を連結することは箸使いのし易さに対する効果が少ない割には箸としての作りを複雑にして、見苦しくしており、製作コストを上げている。また、付勢部品は箸を置いたときに箸先を開いたままにしており、外観が箸に相応しくない。
【課題を解決するための手段】
【０００９】
ロッドの一方の端部を箸を含む面内方向に回動自在に連結してある２本の箸の先端を同じ方向に向けて、２本の箸の間でロッドの他方の端部同士を２本の箸を含む面内方向に回動自在に連結することによって、箸と箸の間にある２本のロッドが折り畳み及び開くことで箸と箸の離隔距離は自在になり、一方の箸が固定している場合には、他方の箸が２本の箸を含む面内方向のどの方向に変化しても、また、同時に箸と箸の離隔距離がどのように変化しても他方の箸は一方の箸に対して軸回転することなく、箸の箸使い時に相対する箸に対する軸回転をなくす。
【００１０】
箸使い時に相対する箸に対する軸回転を無くすことによって箸の挟持部の噛み合わせを良くする技術に、平のみまたは紡錘形などの形状で略平面を有する挟持部を設けて、挟持部の箸と挟む物との接触面積を広げて、挟む物との摩擦抵抗を増して、挟む物を滑り落ち難くして、物を挟み取り易くする技術を組み合せることで箸を相乗的に使い易くする。
【００１１】
折り畳み及び開く２本のロッドで２本の箸を連結する程度の外観上は微少な部品の付加をすることによって箸を使い易くするために、箸の外観をシンプルでスマートにして、箸を製作費が高価になることがない実用的な箸にする。
【発明の効果】
【００１２】
箸使い時に相対する箸に対する箸の軸回転を無くして、箸の挟持部を向かい合わせ状態に保持できることによって、挟持部の噛み合わせを良くして、物を挟めないとか物が滑り落ちることをなくして、物を挟み取り易くする。
【００１３】
箸の先端の紡錘形などの形状で略平面を有する挟持部を向かい合わせ状態に保持することができることによって、箸が相乗的に物を挟み取り易くなり、一般の箸で挟み難い物や滑り易いうどん及びそば及び豆腐などが挟み取り易くなり、箸使いの未熟な子供、外国人などが挟み取り易い箸として使用することができる。また、多くの料理を挟めるために取り箸や菜箸にも適する。
【００１４】
２本の箸の間に折り畳み及び開く２本のロッドで２本の箸を連結することによって、２本のロッドを一つに折り畳め、２本の箸と２本のロッドを一つにまとめることができることと２本のロッドは収納フックに掛け置くことができるために箸をスマートに管理することができる。更に、見た目がシンプルであり、製作費が高価になることがなく実用性が高い。
【００１５】
本発明によれば２本の箸同士を連結しているが、ヒンジのように箸と箸の離隔距離を一定に拘束することなく、箸と箸の間にある２本のロッドが折り畳み及び開くことで箸と箸の離隔距離が自由になるために、本発明の箸は指使いの大きさ及び挟む物の大きさに制限されることなく物を挟むことができる。
【００１６】
そろえた箸先の側面でご飯を掻き込むなどのようにそろえた箸先の側面の上に料理を載せて口に運ぶことがあるが、挟持部を向かい合わせ状態に保持できるために、四角柱形状などのように箸の挟持部に厚みを有する場合は、向かい合わせる挟持部の側面が広く使えるために、箸先の側面に料理を載せて口などに運び易くなる。
【００１７】
実施例２に挙げたように２本の箸（４）の間に針金形状の金属製の２本のロッド（５）の連結部を設けた２本の箸（４）は片側の箸（４）を２本の箸（４）を含む面内方向に３６０度回動することによって、外側同士の挟持部を向かい合わせることができるために、内側と外側で異なる凹凸形状などの表面処理をした挟持部を向かい合わせられ、内側と外側の挟持部を挟む物に合わせて使い分けることができる。
【図面の簡単な説明】
【００１８】
【図１】実施例１の実施形態を示す斜視図である。
【図２】実施例１の実施形態を示す２本の箸と箸の連結部拡大斜視図であり、矢印は箸の開閉方向を示す。
【図３】実施例２の実施形態を示す２本の箸と箸の連結部拡大斜視図であり、矢印は箸の開閉方向を示す。
【図４】実施例３の実施形態を示す箸の先端部拡大図であり、（ａ）は箸の先端部側面図、（ｂ）は箸の挟持部正面図である。
【図５】実施例４の実施形態を示す箸の先端部拡大図であり、（ａ）は箸の先端部側面図、（ｂ）は箸の挟持部正面図である。
【図６】実施例５の実施形態を示す２本の箸と箸の連結部拡大斜視図であり、矢印は箸の開閉方向を示す。
【発明を実施するための形態】
【００１９】
以下、本発明の具体的な実施形態について、実施例の図面を参照して説明する。
【実施例１】
【００２０】
図１及び図２に示すように箸１を箸使い時に箸１に掛ける指が当らない高さの箸１の上部の位置に短冊状のロッド２の一方の端部を布のように伸縮性がなく折り畳み自在な性状の合成樹脂製などのテープ状の連結部品３で箸１を含む面内方向に回動自在に蝶番のように連結してある四角柱形状の箸１が２本あり、箸１の先端を同じ方向に向けた２本の箸１の間でロッド２の他方の端部同士を２本の箸１を含む面内方向に回動自在に連結部品３で蝶番のように連結してあり、箸１で物を挟み及び放すときに２本のロッド２は連結部で開き及び折り畳み箸１の箸使い時に相対する箸１に対して軸回転することなく箸１の先端が閉じ及び開く。
【実施例２】
【００２１】
図３に示すように両端部が同じ方向に直角に曲げた針金形状の金属製のロッド５の直角に曲げた一方の端部を箸使い時に箸４に掛ける指が当らない高さの箸４の上部の位置で箸４の軸に対して直交して設けた連結孔８に貫通して回動自在に連結している円柱形状の箸４が２本あり、それぞれのロッド５が連結孔８から抜け出て更に直角に曲げたそれぞれの部分はロッド５の連結孔８からの抜け止め９であり、箸４の先端を同じ方向に向けた２本の箸４の間でロッド５の直角に曲げたそれぞれの他方の端部は隣り合わせて平行する２本の連結孔７を有する連結部品６のそれぞれの連結孔７に貫通して２本の箸４を含む面内方向に回動自在に連結してあり、それぞれのロッド５が連結部品６の連結孔７から抜け出て更に直角に曲ったそれぞれの部分はロッド５の連結部品６の連結孔７からの抜け止め９であり、箸４で物を挟み及び放すときに２本のロッド５はそれぞれの連結部で開き及び折り畳み箸４の箸使い時に相対する箸４に対して軸回転することなく箸４の先端が閉じ及び開く。
【実施例３】
【００２２】
実施例１または実施例２に記載の連結部を有する２本の箸１０の先端の向かい合う側に図４に示すように箸１０と挟む物との接触面積を広げて、挟む物との摩擦抵抗を増すことで挟み取る物を滑り落ち難くするために平のみ形状で略平面を有する挟持部１１があり、挟持部１１の外側も向かい合う側と同様に平のみ形状で略平面を有する挟持部１１を設けて図４の（ａ）の側面図に示すように一般的な箸と違わない側面形状にすることで、一般的な箸に比して箸１０を使用するときの違和感及び抵抗感を削減する。
【００２３】
実施例２に記載の連結部を有する２本の箸１０のそれぞれの先端の向かい合う内側と向かい合っていない外側の両面に図４に示すように平のみ形状で略平面を有する挟持部１１があり、片側の箸１０を２本の箸１０を含む面内方向に３６０度回動することで外側同士の挟持部１１を向かい合わせることができるために、挟持部１１の内側と外側の表面に異なる凹凸などを設ければ、挟む物に合わせて内側と外側の挟持部１１を容易に使い分けることができる。
【実施例４】
【００２４】
実施例１または実施例２に記載の連結部を有する２本の箸１２のそれぞれの先端が向かい合う側に図５に示すように箸１２と挟む物との接触面積を広げて、挟む物との摩擦抵抗を増し、挟み取る物を滑り落ち難くするための紡錘形状で略平面を有する挟持部１３を設けて、箸１２を使い易くする。
【実施例５】
【００２５】
図６に示すように弾性変形可能な素材（例えば、針金形状の金属や棒状に形成された樹脂）の線材１４を長方形に曲げ加工したロッド５があり、ロッド５の一方の端部である短辺部の中央で線材１４の切断部が突き付けてあり、ロッド５の一方の端部である短辺部の線材１４のそれぞれの切断部を箸使い時に箸４を操作する指が当らない高さの箸４の上部の位置で箸４の軸に対して直交して設けた連結孔８の両側から挿入してあり、ロッド５が箸４を含む面内方向に回動自在に連結してある箸４が２本あり、それぞれのロッド５の他方の端部である短辺部は隣り合わせて平行する２本の連結孔７を有する円柱形状の連結部品６のそれぞれの連結孔７に貫通して２本のロッドが２本の箸４を含む面内方向に回動自在に連結してあり、箸４で物を挟み及び放すときに２本のロッド５はそれぞれの連結部で開き及び折り畳み箸４の箸使い時に相対する箸４に対して軸回転することなく箸４の先端が閉じ及び開き物を挟み及び放しできる。また、実施例５では線材１４の切断部を箸４の連結孔８の内部に隠蔽しており外観がスマートであり、線材１４の切断部が操作する手に当らないために箸４を操作し易い。
【００２６】
２本のロッド５の線材１４の切断部をそれぞれの箸４の連結孔８の長さより大きく広げて連結孔８から抜き取り、それぞれの箸４を２本のロッド５から取り外し、箸４の連結孔８を洗浄した後に２本のそれぞれの箸４をそれぞれのロッド５に取り付けることができるために箸４を衛生的に使用できる。
【符号の説明】
【００２７】
１、４ 、１０、１２  箸  
２、５  ロッド  
３、６  連結部品  
７、８  連結孔  
９  抜け止め  
１１、１３  挟持部
１４  線材
【図１】
2014176608.tif 000003
【図２】
2014176608.tif 000004
【図３】
2014176608.tif 000005
【図４】
2014176608.tif 000006
【図５】
2014176608.tif 000007
【図６】
2014176608.tif 000008